(57)【要約】【課題】ロール状物の周面形状を簡便に且つ高精度に測定できるロール状物の周面形状測定装置を提供する。【解決手段】磁気テープ原反ロール等のロール状物１４の周面形状を測定するロール状物の周面形状測定装置１０。ロール状物との距離を検出する近接センサ１６と、プローブの先端部がロール状物の直径方向に付勢される位置センサ１８とを備えるとともに、近接センサ及び位置センサをロール状物の直径方向に移動させる第１の移動手段を備える変位量検出手段２０と、変位量検出手段をロール状物の軸方向一端側から他端側まで移動させる第２の移動手段２２と、からなる。変位量検出手段の移動に伴う位置センサ１８の検出変位量に基づいてロール状物の周面形状を測定する。【選択図】  図１
2005331403.tif 000002
【特許請求の範囲】
【請求項１】
磁気テープ原反ロール等のロール状物の周面形状を測定するロール状物の周面形状測定装置において、
前記ロール状物との距離を検出する近接センサと、プローブの先端部が前記ロール状物の直径方向に付勢される位置センサとを備えるとともに、該近接センサ及び位置センサを前記ロール状物の直径方向に移動させる第１の移動手段を備える変位量検出手段と、
前記変位量検出手段を前記ロール状物の軸方向一端側から他端側まで移動させる第２の移動手段と、
からなり、前記変位量検出手段の移動に伴う前記位置センサの検出変位量に基づいて前記ロール状物の周面形状を測定することを特徴とするロール状物の周面形状測定装置。
【請求項２】
前記近接センサが検出した信号により、前記第１の移動手段による前記近接センサ及び位置センサの移動が制御される請求項１に記載のロール状物の周面形状測定装置。
【請求項３】
前記周面形状測定装置には、前記変位量検出手段の移動が前記ロール状物の中心軸に対して平行に移動し易くするためのガイド手段が設けられている請求項１又は２に記載のロール状物の周面形状測定装置。
【発明の詳細な説明】
【技術分野】
【０００１】
本発明は、ロール状物の周面形状測定装置に係り、特に、磁気テープ原反ロール等の巨大なロール状物の周面形状を測定してロール状物の周面が湾曲等の不良形状をしていないか否かを測定するのに好適なロール状物の周面形状測定装置に関する。
【背景技術】
【０００２】
磁気テープは、幅広な磁気テープ原反ロールを、幅狭な磁気テープ幅に等分に裁断して作成される。しかし、磁気テープ原反ロールのロール形成において、磁気テープ原反ロールの両端部と中央部とでは巻き付け力が微妙に相違するため、図３に示されるように、ロール状物１４は、ロール周面がロールの軸（巻き芯８０）の方向に沿って中央部が湾曲状に膨らんだ周面形状となることが多い。
【０００３】
このような周面形状となる他の要因として、磁気テープ原反が塗布された後に巻き取られ、その後、長時間保管されることにより、磁気テープ原反が塑性変形することが挙げられる。
【０００４】
この中央部が湾曲状に膨らんだ周面形状の度合いが大きい磁気テープ原反ロールから得られた磁気テープは、直線状にならずにカーブ状を呈する。そして、このようなカーブ状の磁気テープを使用すると、電気的な出力不良等の製品としての信頼性が低下する要因となる。そのため、このような不具合を抑制するために、極力均一厚さに塗布を行なう必要がある。
【０００５】
一方、生産性向上を念頭においた場合、より安定した搬送性を付与するために、特許文献１に開示されているように、意図的に中央部を厚く塗布することも要求される。これにより、磁気テープ原反が巻芯に巻取られる際に、巻取張力が端部において中央部よりも強く作用し、巻取りが安定する。そして、これにより、巻きズレや縦じわ等の欠点の発生をなくすことができる。
【０００６】
以上に述べたように、「均一に」と言う要求と、「中央を厚く」と言う要求の相反する要求を両立させるためには、きわめて精度のよい厚さ調整が必要とされる。そのために、磁気テープ原反ロールの裁断する前に、磁気テープ原反ロールの形状を正確に測る必要がある。
【０００７】
特に、近年、磁気記録媒体の高密度化に伴い、記録トラック幅は非常に狭くなってきており、それに伴い、磁気テープ原反ロール及び媒体（磁気テープ）の寸法精度に対する要求は一層強くなっている。
【０００８】
従来より、このような磁気テープ原反ロールの形状を測定する方法は、各種提案されている（特許文献２、３等。）。
【０００９】
このうち、特許文献２は、磁気テープ原反ロールの軸と平行に走行する接触式のセンサにより磁気テープ原反ロールの形状を測る構成のものである。
【００１０】
また、特許文献３は、磁気テープ原反ロールを両側から挟み込む接触式のセンサによって磁気テープ原反ロールの形状を測る構成のものである。
【特許文献１】特開昭６１−２９３５７７号公報
【特許文献２】特開平８−１０２０６４号公報
【特許文献３】特開２００２−１６８６１６号公報
【発明の開示】
【発明が解決しようとする課題】
【００１１】
しかしながら、特許文献２、３等のような従来の技術では、以下の述べるような課題を解決できていないのが現状である。
【００１２】
すなわち、特許文献２の装置では、磁気テープ原反ロールの形状を簡便に測定できる利点はあるものの、磁気テープ原反ロールの形状が、磁気テープ原反ロールの軸芯と磁気テープ原反ロールの表面、センサのレール軸との相対位置により得られるため、センサのレール軸と磁気テープ原反ロールの軸芯との平行度が悪いと、正確な値が得られない。同様の理由から、測定装置の精度が高くないと正確な値が得られない。
【００１３】
これらの課題を解決するためには、センサの保持剛性を高めたり、センサと磁気テープ原反ロールの設置方法に工夫を凝らすことが必要になるが、これでは装置の大型化、装置のコストアップとなり、実施上の制約となってしまう。
【００１４】
一方、特許文献３は、特許文献２の上記課題を解決するためになされているものの、磁気テープ原反ロールを両側から挟む構造であるため、生産性向上のために自動化しようとすると、構成が複雑になりやすく、装置のコストアップとなりやすい。
【００１５】
また、特許文献２、３の共通の課題として、センサの位置調整を手動操作により行わなければならず、この調整が困難であると言うことが挙げられる。すなわち、高精度の測定を行うためには、センサと原反ロールとの距離を一定の値にセットする必要がある。一方、磁気テープ原反ロールの外径や周面形状は様々であり、これらの装置でセンサをこのようにセットするには、熟練を要する上に、手間がかかる。そして、センサと原反ロールとの距離が一定の値から外れた場合には、測定精度が大きく低下してしまう。
【００１６】
本発明は、このような事情に鑑みてなされたもので、ロール状物の周面形状を簡便に且つ高精度に測定できるロール状物の周面形状測定装置を提供することを目的とする。
【課題を解決するための手段】
【００１７】
前記目的を達成するために、本発明は、磁気テープ原反ロール等のロール状物の周面形状を測定するロール状物の周面形状測定装置において、前記ロール状物との距離を検出する近接センサと、プローブの先端部が前記ロール状物の直径方向に付勢される位置センサとを備えるとともに、該近接センサ及び位置センサを前記ロール状物の直径方向に移動させる第１の移動手段を備える変位量検出手段と、前記変位量検出手段を前記ロール状物の軸方向一端側から他端側まで移動させる第２の移動手段と、からなり、前記変位量検出手段の移動に伴う前記位置センサの検出変位量に基づいて前記ロール状物の周面形状を測定することを特徴とするロール状物の周面形状測定装置を提供する。
【００１８】
本発明によれば、第１の移動手段により近接センサ及び位置センサをロール状物の直径方向に移動でき、第２の移動手段により位置センサをロール状物の軸方向に移動できるので、ロール状物の周面形状を自動的に測定することができ、熟練を要する上に、手間がかかる手動操作を要しない。したがって、ロール状物の周面形状を簡便に且つ高精度に測定できる。
【００１９】
本発明において、前記近接センサが検出した信号により、前記第１の移動手段による前記近接センサ及び位置センサの移動が制御されることが好ましい。このように、近接センサにより、位置センサの移動（移動速度、移動位置等）が制御されるのであれば、位置センサと原反ロールとの距離を一定の値にセットするのが容易になり、本発明の効果（簡便に且つ高精度に測定できる）が一層発揮できる。
【００２０】
また、本発明において、前記周面形状測定装置には、前記変位量検出手段の移動が前記ロール状物の中心軸に対して平行に移動し易くするためのガイド手段が設けられていることが好ましい。このようなガイド手段が設けられることにより、測定精度が一層向上する。
【発明の効果】
【００２１】
以上説明したように、本発明によれば、ロール状物の周面形状を簡便に且つ高精度に測定できる。
【発明を実施するための最良の形態】
【００２２】
以下、添付図面に従って、本発明に係るロール状物の周面形状測定装置の好ましい実施の形態について詳説する。
【００２３】
図１は、本発明のロール状物の周面形状測定装置の全体構成を説明する説明図である。図１に示されるように、周面形状測定装置１０は、主として、底部が開放されたケーシング１２内に、ロール状物１４との距離を検出する近接センサ１６と、プローブの先端部がロール状物１４の直径方向に付勢される位置センサ１８等を備える変位量検出手段２０と、この変位量検出手段２０をロール状物１４の軸方向一端側から他端側まで移動させる移動手段（第２の移動手段）２２とを設けて構成され、ロール状物１４の周面形状を測定する際には、ケーシング１２がロール状物１４に着脱自在に設置される。
【００２４】
第２の移動手段２２は、水平駆動用モータ２２Ａとボールねじ２２Ｂ等より構成される。すなわち、ボールねじ２２Ｂは、ケーシング１２右端の側板１２Ａを貫通するとともに、ケーシング１２左端の側板１２Ｂに嵌合固定された軸受部材（図示略）により支持されている。
【００２５】
また、ボールねじ２２Ｂは、変位量検出手段２０に固定されたボールナット（図示略）と螺合するとともに、水平駆動用モータ２２Ａの軸に連結されており、水平駆動用モータ２２Ａにより回転駆動されるようになっている。なお、水平駆動用モータ２２Ａは、ステー２４を介してケーシング１２に支持されている。
【００２６】
以上の構成により、水平駆動用モータ２２Ａを回転駆動することにより、ボールねじ２２Ｂが回転し、変位量検出手段２０がロール状物１４の軸方向一端側から他端側まで移動されるようになっている。
【００２７】
変位量検出手段２０において、近接センサ１６と位置センサ１８を、ロール状物１４の直径方向に移動させる第１の移動手段が設けられている。この、第１の移動手段は、垂直駆動用モータ２６とボールねじ２８等より構成される。すなわち、ボールねじ２８は、変位量検出手段２０を貫通するとともに、センサ支持プレート３０に固定されたボールナット（図示略）と螺合し、また、垂直駆動用モータ２６の軸に連結されており、垂直駆動用モータ２６により回転駆動されるようになっている。
【００２８】
なお、垂直駆動用モータ２６は、ステー３２を介して変位量検出手段２０に支持されている。また、近接センサ１６と位置センサ１８は、センサ支持プレート３０に固定されている。
【００２９】
以上の構成により、垂直駆動用モータ２６を回転駆動することにより、ボールねじ２８が回転し、センサ支持プレート３０がロール状物１４の直径方向（図１では、上下方向）に移動されるようになっている。なお、変位量検出手段２０には、センサ支持プレート３０が鉛直軸回りに回転することを防止すべく、回り止め機構（図示略）が設けられている。
【００３０】
変位量検出手段２０に使用される近接センサ１６は、センサ支持プレート３０（位置センサ１８）とロール状物１４との距離を検出するためのものである。この近接センサ１６は、ロール状物１４の周面形状の測定に直接寄与するものではないが、位置センサ１８の上下方向に位置決め精度を向上させる機能を発揮させるものである。
【００３１】
すなわち、当初、ロール状物１４の表面とセンサ支持プレート３０とは離れた位置にあり、測定に際し、垂直駆動用モータ２６を回転駆動させて、センサ支持プレート３０をロール状物１４に接近させる。そして、後述する位置センサ１８とロール状物１４の表面とを適正な位置関係に維持する必要がある。
【００３２】
一般的に、後述する位置センサ１８の触針（プローブ）の移動ストローク（精度保証ストローク）は、所定範囲にあり、この範囲を外れると測定精度が大幅に低下する。したがって、位置センサ１８の触針がこの移動ストロークの範囲にある状態となるように、位置センサ１８とロール状物１４の表面との距離をセットする必要がある。その方法として、位置センサ１８の検出値よりフィードバックして垂直駆動用モータ２６を制御する構成が考えられる。
【００３３】
ところが、垂直駆動用モータ２６を回転駆動させ、センサ支持プレート３０を比較的高速で移動させた場合には、オーバーランしてしまい、位置センサ１８の触針がこの移動ストロークの範囲外となってしまうことがある。一方、このような不具合が生じないように、センサ支持プレート３０を充分に低速で移動させた場合には、セッティングに長時間を要し好ましくない。
【００３４】
近接センサ１６は、このような課題を解決すべく導入されたものであり、センサ支持プレート３０の概略位置を検出する機能を持たされる。すなわち、近接センサ１６は、位置センサ１８のような高い検出精度は要求されないが、位置センサ１８の触針が適正な移動ストロークの範囲に入る前の状態のセンサ支持プレート３０の概略位置を検出して、この検出結果を垂直駆動用モータ２６にフィードバックするために設けられる。
【００３５】
この近接センサ１６としては、センサ支持プレート３０の概略位置を検出できるものであれば、接触方式の位置センサであっても、非接触方式の位置センサであってもよく、また、近接方式のリミットスイッチ等も採用できる。
【００３６】
要は、位置センサ１８の触針が適正な移動ストロークの範囲に入る前の状態のセンサ支持プレート３０の概略位置を検出して、垂直駆動用モータ２６を高速回転から低速回転に切り替えることができればよい。
【００３７】
変位量検出手段２０に使用される位置センサ１８は、変位量検出手段２０の移動に伴いロール状物１４の周面形状を測定するもので、接触方式の位置センサが採用される。磁気テープ原反ロール等のロール状物１４は、最外層が緩めに巻き取られていることが多く、非接触方式の位置センサにより測定した場合には、ロール状物１４の真の形状が検出できないことがある。したがって、このように所定の付勢力でプローブの先端部がロール状物１４の表面と接触する位置センサ１８が採用される。
【００３８】
位置センサ１８の形式としては、モアレ縞等の干渉を利用した位置センサ（一般的に、「リニアスケール」又は「モアレスケール」と称呼される）、作動変圧器を利用した位置センサ等、ロール状物１４のサイズ、形状、要求精度等に応じて、公知の各種のタイプが採用できる。
【００３９】
このような位置センサ１８としては、一般的には直動タイプのものが好ましく使用できるが、レバー式のプローブのものを使用してもよい。要は、プローブの先端部がロール状物１４の直径方向に付勢される位置センサであれば、本発明に適用できる。
【００４０】
なお、一般的に、上記タイプの位置センサの最小読取値と作動距離とは、トレードオフの関係にあるので、ロール状物１４のサイズ、形状、要求精度に応じて、位置センサのタイプを選択することが好ましい。
【００４１】
第２の移動手段２２により、ロール状物１４の軸方向の一端側から他端側に変位量検出手段２０が移動することに伴う位置センサ１８の検出変位量は、ロール状物１４の軸方向における各位置の直径の変化量として測定され、直径の変化がそのまま周面形状を表すことになる。
【００４２】
なお、第２の移動手段２２としては、図１の構成に限定されるものではなく、変位量検出手段２０を、ロール状物１４の軸方向に沿って直線的に安定的に移動できるものであれば、何でもよい（たとえば、モノレール方式）。
【００４３】
次に、ガイド手段４６について説明する。このガイド手段４６は、変位量検出手段２０の移動がロール状物１４の中心軸に対して平行に移動し易くするための機構である。図２は、図１の一部を示す右側面図であり、ガイド手段４６を説明する図である。
【００４４】
ガイド手段４６は、ジャッキ手段４８に二股状の支持部５２を設けて構成される。そして、ガイド手段４６を使用する時には、図１及び図２に示されるように、一対のガイド手段４６の二股状支持部５２をロール状物１４の巻き芯８０の両側に係合させて固定した後、一対のジャッキ手段４８で巻き芯８０に対するケーシング１２（ボールねじ２２Ｂ）の傾きがなくなるように調整する。これにより、ボールねじ２２Ｂが巻き芯８０に平行になるので、変位量検出手段２０の移動を、ロール状物１４の中心軸線に対して平行移動させることができる。
【００４５】
次に、上記の如く構成された周面形状測定装置１０を使用して、ロール状物１４の周面形状を測定する方法について説明する。
【００４６】
先ず、ケーシング１２をロール状物１４に装着する。具体的には、図１及び図２に示されるように、一対のガイド手段４６の二股状支持部５２をロール状物１４の巻き芯８０の両側に係合させて固定した後、一対のジャッキ手段４８で巻き芯８０に対するケーシング１２の傾きがなくなるように調整する。
【００４７】
なお、この段階では、センサ支持プレート３０を充分に上方に退避させておく。また、第２の移動手段２２により、変位量検出手段２０をロール状物１４の軸方向一端側（又は他端側）に移動させておく。
【００４８】
次いで、垂直駆動用モータ２６を回転駆動し、センサ支持プレート３０を高速で下降させる。この下降動作中に、近接センサ１６がセンサ支持プレート３０の概略位置を検出すると、図示しない制御手段により、垂直駆動用モータ２６が高速回転から低速回転に切り替えられる。そして、センサ支持プレート３０が引き続き、低速で下降していく。
【００４９】
この下降動作中に、位置センサ１８の触針が適正な移動ストロークの範囲にあると判断されると、図示しない制御手段により、垂直駆動用モータ２６の駆動が停止される。
【００５０】
この位置センサ１８の触針の適正ストローク範囲としては、たとえば、位置センサ１８の精度保証範囲が、触針の突出しきった状態から触針が１０ｍｍ押し込まれた状態までの間であるとした場合、触針が３〜５ｍｍ押し込まれた状態と設定できる。
【００５１】
次いで、第２の移動手段２２（水平駆動用モータ２２Ａ）を駆動して、変位量検出手段２０をロール状物１４の軸方向他端側（又は一端側）に移動させながら、位置センサ１８の出力を取り込む。これにより、ロール状物１４の周面形状が得られる。
【００５２】
以上、本発明に係るロール状物の周面形状測定装置の実施形態について説明したが、本発明は上記実施形態に限定されるものではなく、各種の態様が採り得る。
【００５３】
たとえば、本実施形態で採用されている周面形状測定装置１０は、変位量検出手段２０が第２の移動手段２２によりロール状物１４の軸方向に移動される構成となっているが、近接センサ１６及び位置センサ１８が固定された第２の移動手段２２を備えるケーシング１２を、第１の移動手段により上下方向に移動させる構成としてもよく、同様に良好な結果が得られる。
【００５４】
また、本実施形態では、一対のガイド手段４６を、二股状支持部５２等より構成したが、これ以外の構成、たとえば、ロール状物１４の軸方向に平行な２本の丸棒等を使用して同様の機能を持たせてもよい。
【００５５】
更に、ロール状物１４として、磁気テープ原反ロールが採用されているが、これ以外のロール状物であってもよい。すなわち、本発明は、バルク状の製品を巻き取る分野であれば適用できる。
【図面の簡単な説明】
【００５６】
【図１】本発明が適用されるロール状物の周面形状測定装置の全体構成を説明する説明図
【図２】ロール状物の周面形状測定装置のガイド手段を説明する説明図
【図３】ロール状物の湾曲状の周面形状を説明する説明図
【符号の説明】
【００５７】
１０…ロール状物の周面形状測定装置、１２…ケーシング、１４…ロール状物、１６…近接センサ、１８…位置センサ、２０…変位量検出手段、２２…第２の移動手段、２２Ａ…水平駆動用モータ、２２Ｂ…ボールねじ、２６…垂直駆動用モータ、２８…ボールねじ、３０…センサ支持プレート
【図１】
2005331403.tif 000003
【図２】
2005331403.tif 000004
【図３】
2005331403.tif 000005